(57)【特許請求の範囲】
【請求項１】
放送局から到来する、番組放送及び当該番組放送に多重化されたデータを含む放送電波から予め定められた順序にブロック単位で送信されたデータを当該予め定められた順序で抽出するデータ抽出手段と、
当該抽出されたデータの中から、同一番組を放送している代替局である追従先放送局の周波数データ及び当該同一番組であることを識別する番組識別データを記憶する記憶手段と、
現在受信中の放送局である追従前放送局から送信された放送電波の受信状態が劣化したとき、前記記憶手段に記憶された周波数データに基づいて前記追従前放送局よりも受信状態が良好な追従先放送局に関する同期を検出及び保持し、当該同期保持された追従先放送局と前記追従前放送局との番組識別データが同一のときに当該追従先放送局から送信された放送電波を受信させる制御手段とを有する多重放送用受信装置であって、
前記制御手段は、当該追従先放送局から予め定められた順序にブロック単位で送信されたデータの中から少なくとも２つのオフセットデータをチューナを介して当該予め定められた順序で検出した場合に、該追従先放送局に関する同期がとれたと判定する複数の同期検出手段を有し、
前記周波数データに基づいて前記追従前放送局よりも受信状態が良好な追従先放送局に切換えるとき、少なくとも何れか一つの同期検出手段が前記追従先放送局に関する同期検出を開始し、且つ前記追従先放送局に関する同期検出を行っている同期検出手段が前記追従先放送局から送信された一つのオフセットデータを検出する毎に、前記追従先放送局に関する同期検出を行っている同期検出手段以外の他の同期検出手段が新たに前記追従先放送局に関する同期検出を開始し、前記制御手段は、前記複数の同期検出手段のうち追従先放送局に関する同期が最初にとられた同期検出手段に当該同期を保持させることを特徴とする多重放送用受信装置。
【請求項２】
前記制御手段は、前記周波数データに基づいて前記追従前放送局よりも受信状態が良好な追従先放送局に切換えるとき、前記複数の同期検出手段の内の一つの同期検出手段に追従前放送局に関する同期を保持させ、当該同期検出手段以外の他の同期検出手段に前記追従先放送局に関する同期の検出を開始させ、追従前放送局に関する同期を保持する同期検出手段により追従先放送局に関する同期がとれている場合には、前記他の同期検出手段による前記追従先放送局に関する再同期検出を行うことなしに、当該追従前放送局に関する同期を保持する同期検出手段による追従先放送局に関する同期の保持を継続することを特徴とする請求項１記載の多重放送用受信装置。
【請求項３】
放送局から到来する、番組放送及び当該番組放送に多重化されたデータを含む放送電波から予め定められた順序にブロック単位で送信されたデータを当該予め定められた順序で抽出するデータ抽出手段と、
当該抽出されたデータの中から、同一番組を放送している代替局である追従先放送局の周波数データ及び当該同一番組であることを識別する番組識別データを記憶する記憶手段と、
現在受信中の放送局である追従前放送局から送信された放送電波の受信状態が劣化したとき、前記記憶手段に記憶された周波数データに基づいて前記追従前放送局よりも受信状態が良好な追従先放送局に関する同期を検出及び保持し、当該同期保持された追従先放送局と前記追従前放送局との番組識別データが同一のときに当該追従先放送局から送信された放送電波を受信させる制御手段とを有する多重放送用受信装置であって、
前記制御手段は、当該追従先放送局から予め定められた順序にブロック単位で送信されたデータの中から少なくとも２つのオフセットデータをチューナを介して当該予め定められた順序で検出した場合に、該追従先放送局に関する同期がとれたと判定する同期検出手段を有し、
前記同期検出手段による前記追従先放送局に関する同期検出を開始するタイミングは、前記予め定められた順序にブロック単位で送信されるデータのうち、前記番組識別データを含むブロックより予め定められたブロック数前のブロックから前記番組識別データを含むブロックの直前のブロックまでのデータの受信中のタイミングであることを特徴とする多重放送用受信装置。
【請求項４】
放送局から到来する、番組放送及び当該番組放送に多重化されたデータを含む放送電波から予め定められた順序にブロック単位で送信されたデータを当該予め定められた順序で抽出するデータ抽出手段と、
当該抽出されたデータの中から、同一番組を放送している代替局である追従先放送局の周波数データ及び当該同一番組であることを識別する番組識別データを記憶する記憶手段と、
前記データ抽出手段により現在受信中の放送局である追従前放送局から送信された放送電波に含まれるデータが抽出できなくなったとき、前記記憶手段に記憶された周波数データに基づいて受信状態が良好な追従先放送局に関する同期を検出及び保持し、当該同期保持された追従先放送局と前記追従前放送局との番組識別データが同一のときに当該追従先放送局から送信された放送電波を受信させる制御手段とを有する多重放送用受信装置であって、
前記制御手段は、当該追従先放送局から予め定められた順序にブロック単位で送信されたデータの中から少なくとも２つのオフセットデータをチューナを介して当該予め定められた順序で検出した場合に、該追従先放送局に関する同期がとれたと判定する同期検出手段を有し、
さらに、前記制御手段は、前記データ抽出手段により追従前放送局から送信された放送電波に含まれるデータが抽出できなくなったとき、当該抽出できなくなる直前のブロックから成るデータを前記記憶手段に記憶し、当該記憶された直前のブロックから成るデータに基づいて、現在受信中のデータが、前記予め定められた順序にブロック単位で送信されるデータのうち、前記番組識別データを含むブロックより予め定められたブロック数前のブロックから前記番組識別データを含むブロックの直前のブロックまでの何れかのブロックであるか否かを判定して、当該何れかのブロックである場合に、前記同期検出手段により前記受信状態が良好な追従先放送局に関する同期の検出を開始して、検出された同期を保持し、当該同期保持された追従先放送局と前記追従前放送局との番組識別データが同一のときに当該追従先放送局から送信された放送電波を受信させることを特徴とする多重放送用受信装置。
【発明の詳細な説明】
【０００１】
【産業上の利用分野】
本発明は、番組放送及び当該番組放送に多重化されたデータを含む多重放送電波から番組放送を受信すると共に、当該番組放送に多重化されたデータを抽出する多重放送用受信装置に関する。
【０００２】
【従来の技術】
従来、このような多重放送としては、ＦＭラジオ放送の放送電波に当該番組放送に関連する情報や交通情報等の情報を多重化し、受信側が当該多重化された情報を解読することにより、当該ラジオ放送の受聴者に対して様々なサービスを提供することができるラジオ・データ・システム（以下、単にＲＤＳと称する）方式がある。
【０００３】
当該ＲＤＳ方式においては、主に多くの放送局がネットワークを組んで同一番組を放送することが多い欧州等で広く普及しており、ＦＭ変調波の周波数帯域外で１９ｋＨｚのステレオパイロット信号の３次高調波である５７ｋＨｚを副搬送波とし、フィルタリング及びバイフェーズコード化された番組関連情報や交通情報等の情報を示すデータ信号により、前記副搬送波を振幅変調してラジオデータ信号（以下、単にＲＤＳデータと称する）とし、当該振幅変調された副搬送波を主搬送波に周波数変調して放送するようになされている。
【０００４】
図１２は当該ＲＤＳデータのベースバンドコーディング構造を示す説明図である。
【０００５】
当該ＲＤＳデータは、図１２に示すように１０４ビットから成るグループ単位で構成され、各グループは夫々２６ビットの４ブロックから成り、各ブロックは、１６ビットの情報語（ｍ０〜ｍ１５）と、１０ビットの検査語及びオフセット語（ｃ´０〜ｃ´９）とから構成されている。
【０００６】
ブロックＡには、国名データや番組データから成るネットワークを示す番組識別データ（以下、単にＰＩコードと称する）が、ブロックＢには、交通情報放送局の識別データを示す交通番組識別データ（以下、単にＴＰデータと称する）や交通情報中の識別データを示す交通アナウンス識別データ（以下、単にＴＡデータと称する）が、ブロックＣには、同一番組を放送しているネットワーク局群の各局の周波数に係わるデータ、すなわち代替局周波数データ（以下、単にＡＦデータと称する）が、ブロックＤには、放送局名やネットワーク名等の放送局名データ（以下、単にＰＳデータと称する）が夫々配置されている。
【０００７】
また、各グループは、その内容に応じて４ビットにてタイプ０〜１５の１６通りに区別され、さらに各タイプ（０〜１５）に対して夫々Ａ，Ｂの二つのバージョンが定義されており、これらの認識コードはブロックＢに配置されている。
【０００８】
尚、通常、前記バージョンＡに定義されたタイプとしては、ブロックＡにＰＩコードが必ず含まれているのであるが、前記バージョンＢに定義されたタイプとしては、ブロックＡに加えてブロックＣにもＰＩコードが含まれている。しかしながら、当該バージョンＢのタイプが送信される割合は非常に少ない。
【０００９】
このようなＲＤＳデータを受信する多重放送用受信装置としてのＲＤＳ受信装置によれば、当該ＲＤＳデータ受信時に復調して得られるＡＦデータを取り込んで記憶しておき、例えばマルチパス妨害等の外乱により現在受信中の放送局における受信レベルが低下した場合、先に記憶したＡＦデータに基づいて受信レベルの良好な他のネットワーク局である代替局を選局する自動追従システムがある。
【００１０】
当該自動追従システムによれば、外乱の影響を受けることなく、常に受信状態の良好な同一番組の放送をユーザーに提供することができる。
【００１１】
また、当該自動追従システムにて代替局である追従先放送局を選局した場合、当該追従先放送局が追従前放送局と同一内容の番組を放送しているか否かの判断は、当該ＲＤＳデータ内のＰＩコードにて確認するものであり、当該自動追従を迅速に実行するためにもブロックＡのＰＩコードをできるだけ迅速に取り込むことが必要である。
【００１２】
また、当該ＲＤＳ受信装置によれば、通常、各ＲＤＳ局が各ＲＤＳデータの同期を同じくして送信しているために、当然、追従先放送局におけるＲＤＳデータの同期がとりやすくなっている。
【００１３】
だが、当該ＲＤＳ受信装置は、自動追従システムによる周波数変更時、すなわち追従前放送局から追従先放送局への切換受信時において当該ＲＤＳデータの同期を再び検出し直さなければならない。
【００１４】
では、当該ＲＤＳ受信装置におけるＲＤＳデータの再同期検出動作について説明する。
【００１５】
当該ＲＤＳ受信装置には、１系統の同期検出回路が設けられており、当該同期検出回路にて検出されたオフセットデータに基づいてＲＤＳデータの同期状態を判断するものである。図１３は当該同期検出回路の同期検出時におけるオフセットデータの検出及び判定状況を示す説明図であり、図１３（ａ）は最初のオフセットデータに誤検出が生じた場合、図１３（ｂ）は二回目のオフセットデータに誤検出が生じた場合である。
【００１６】
当該ＲＤＳ受信装置は、図１３（ａ）に示すように周波数を変更すると、すなわち、追従先放送局に切換受信すると、とにかくデータ同期はとれているのであるが、現在復号されているＲＤＳデータが例えばＰＩコード、ＰＴＹコード等のデータであるか、又はオフセットデータであるかを判別することができず、当該復号されたＲＤＳデータからオフセットデータを判別し、当該判別されたオフセットデータの検出を直ちに開始する。尚、当該オフセットデータは、他のデータと同様“０”又は“１”の組み合わせで識別されているために、当該オフセットデータを誤って判別してしまうことが多々ある。
【００１７】
前記同期検出回路は、図１３（ａ）に示すように最初に現れた同期信号としてのオフセットデータ、例えばオフセットＣ（ｏｒＣ´）を検出し、当該検出されたオフセットＣ（ｏｒＣ´）が本当のオフセットデータであるか否かを所定タイミング後のオフセットデータにより判別する。
【００１８】
つまり、ＲＤＳ局側は各ブロックデータ及びオフセットデータをＡ→Ｂ→Ｃ（ｏｒＣ´）→Ｄ→Ａ…といった所定順序に送信しているため、当該同期検出回路においては、当該検出されたオフセットＣ（ｏｒＣ´）が本当のオフセットデータであれば、所定タイミング後にオフセットＤが検出されるはずである。
【００１９】
しかしながら、当該同期検出回路においては、図１３（ａ）に示すように検出されるにはまだ早いオフセットＡを検出してしまい、前記検出されたオフセットＣ（ｏｒＣ´）を誤検出と判断して同期検出をやり直す。
【００２０】
次に当該同期検出回路は、当該オフセットＡを再び検出しなおし、当該オフセットＡ検出後の所定タイミング後にオフセットＢが検出されると、当該周波数を変更した追従先放送局におけるＲＤＳデータの同期がとれたことになる。
【００２１】
逆に当該同期検出回路は、図１３（ｂ）に示すように当該オフセットＡを検出して、当該オフセットＡ検出後の所定タイミング後にオフセットＣ（ｏｒＣ´）が検出されると、前記検出されたオフセットＡを誤検出と判断して同期検出をやり直す。
【００２２】
次に当該同期検出回路は、オフセットＣ（ｏｒＣ´）を再び検出しなおし、当該オフセットＣ（ｏｒＣ´）検出後の所定タイミング後にオフセットＤが検出されると、当該周波数を変更した追従先の放送局におけるＲＤＳデータの同期がとれたことになる。
【００２３】
従って、当該同期検出回路によれば、前記オフセットデータの送信に係わる所定順序に２つのオフセットデータを検出すると、当該周波数を変更した追従先放送局におけるＲＤＳデータの同期がとれたことになる。
【００２４】
【発明が解決しようとする課題】
しかしながら、上記従来のＲＤＳ受信装置によれば、自動追従システム等の周波数変更時の再同期検出においては同期検出回路が１系統しかないために、オフセットデータの誤検出が発生した場合には当該同期検出回路にて同期検出をやり直さなければならず、最終的に同期が検出されるまでの時間が非常に長くなり、しかも当該同期検出時間中においては音声出力にミュートがかかるためユーザーに不快感を与えてしまうといった問題点があった。
【００２５】
また、当該ＲＤＳ受信装置によれば、自動追従システム等の周波数変更時においてはＰＩコードの確認時間を比較的長くとっており、当該変更された追従先の放送局が異なる番組内容の放送であったり、又は受信レベルの低い局である場合には、当該ＰＩコードの確認が終了するまでに当該追従先放送局を受信してしまう時間が約数百msec〜１sec 存在するために、当該ＰＩコード確認時間中においては音声出力にミュートがかかり、ユーザーに不快感を与えてしまうといった問題点があった。
【００２６】
また、当該ＲＤＳ受信装置によれば、自動追従システム等の周波数変更時においては当該変更された追従先放送局が受信レベルの良好な局である場合、当該同期検出信号がＲＤＳデータの再同期検出を開始し、当該同期検出後にＰＩコードを確認するまで当該追従先放送局が同一番組であるかどうかを判断することができず、当該再同期検出開始からＰＩコードを確認するまで音声出力にミュートがかかり、ユーザーに不快感を与えてしまうといった問題点があった。
【００２７】
本発明は上記問題点に鑑みてなされたものであり、その目的とするところは、周波数変更に伴うユーザーへの不快感を軽減することができる多重放送用受信装置を提供することにある。
【００２８】
【課題を解決するための手段】
上記の目的を達成するために本発明の多重放送用受信装置の発明は、放送局から到来する、番組放送及び当該番組放送に多重化されたデータを含む放送電波から予め定められた順序にブロック単位で送信されたデータを当該予め定められた順序で抽出するデータ抽出手段と、当該抽出されたデータの中から、同一番組を放送している代替局である追従先放送局の周波数データ及び当該同一番組であることを識別する番組識別データを記憶する記憶手段と、現在受信中の放送局である追従前放送局から送信された放送電波の受信状態が劣化したとき、前記記憶手段に記憶された周波数データに基づいて前記追従前放送局よりも受信状態が良好な追従先放送局に関する同期を検出及び保持し、当該同期保持された追従先放送局と前記追従前放送局との番組識別データが同一のときに当該追従先放送局から送信された放送電波を受信させる制御手段とを有する多重放送用受信装置であって、前記制御手段は、当該追従先放送局から予め定められた順序にブロック単位で送信されたデータの中から少なくとも２つのオフセットデータをチューナを介して当該予め定められた順序で検出した場合に、該追従先放送局に関する同期がとれたと判定する複数の同期検出手段を有し、前記周波数データに基づいて前記追従前放送局よりも受信状態が良好な追従先放送局に切換えるとき、少なくとも何れか一つの同期検出手段が前記追従先放送局に関する同期検出を開始し、且つ前記追従先放送局に関する同期検出を行っている同期検出手段が前記追従先放送局から送信された一つのオフセットデータを検出する毎に、前記追従先放送局に関する同期検出を行っている同期検出手段以外の他の同期検出手段が新たに前記追従先放送局に関する同期検出を開始し、前記制御手段は、前記複数の同期検出手段のうち追従先放送局に関する同期が最初にとられた同期検出手段に当該同期を保持させることを特徴とし、又、前記制御手段は、前記周波数データに基づいて前記追従前放送局よりも受信状態が良好な追従先放送局に切換えるとき、前記複数の同期検出手段の内の一つの同期検出手段に追従前放送局に関する同期を保持させ、当該同期検出手段以外の他の同期検出手段に前記追従先放送局に関する同期の検出を開始させ、追従前放送局に関する同期を保持する同期検出手段により追従先放送局に関する同期がとれている場合には、前記他の同期検出手段による前記追従先放送局に関する再同期検出を行うことなしに、当該追従前放送局に関する同期を保持する同期検出手段による追従先放送局に関する同期の保持を継続するように構成することができる。
【００２９】
また、第２の発明は、放送局から到来する、番組放送及び当該番組放送に多重化されたデータを含む放送電波から予め定められた順序にブロック単位で送信されたデータを当該予め定められた順序で抽出するデータ抽出手段と、当該抽出されたデータの中から、同一番組を放送している代替局である追従先放送局の周波数データ及び当該同一番組であることを識別する番組識別データを記憶する記憶手段と、現在受信中の放送局である追従前放送局から送信された放送電波の受信状態が劣化したとき、前記記憶手段に記憶された周波数データに基づいて前記追従前放送局よりも受信状態が良好な追従先放送局に関する同期を検出及び保持し、当該同期保持された追従先放送局と前記追従前放送局との番組識別データが同一のときに当該追従先放送局から送信された放送電波を受信させる制御手段とを有する多重放送用受信装置であって、前記制御手段は、当該追従先放送局から予め定められた順序にブロック単位で送信されたデータの中から少なくとも２つのオフセットデータをチューナを介して当該予め定められた順序で検出した場合に、該追従先放送局に関する同期がとれたと判定する同期検出手段を有し、前記同期検出手段による前記追従先放送局に関する同期検出を開始するタイミングは、前記予め定められた順序にブロック単位で送信されるデータのうち、前記番組識別データを含むブロックより予め定められたブロック数前のブロックから前記番組識別データを含むブロックの直前のブロックまでのデータの受信中のタイミングであることを特徴とする。
【００３０】
また、第３の発明は、放送局から到来する、番組放送及び当該番組放送に多重化されたデータを含む放送電波から予め定められた順序にブロック単位で送信されたデータを当該予め定められた順序で抽出するデータ抽出手段と、当該抽出されたデータの中から、同一番組を放送している代替局である追従先放送局の周波数データ及び当該同一番組であることを識別する番組識別データを記憶する記憶手段と、前記データ抽出手段により現在受信中の放送局である追従前放送局から送信された放送電波に含まれるデータが抽出できなくなったとき、前記記憶手段に記憶された周波数データに基づいて受信状態が良好な追従先放送局に関する同期を検出及び保持し、当該同期保持された追従先放送局と前記追従前放送局との番組識別データが同一のときに当該追従先放送局から送信された放送電波を受信させる制御手段とを有する多重放送用受信装置であって、前記制御手段は、当該追従先放送局から予め定められた順序にブロック単位で送信されたデータの中から少なくとも２つのオフセットデータをチューナを介して当該予め定められた順序で検出した場合に、該追従先放送局に関する同期がとれたと判定する同期検出手段を有し、さらに、前記制御手段は、前記データ抽出手段により追従前放送局から送信された放送電波に含まれるデータが抽出できなくなったとき、当該抽出できなくなる直前のブロックから成るデータを前記記憶手段に記憶し、当該記憶された直前のブロックから成るデータに基づいて、現在受信中のデータが、前記予め定められた順序にブロック単位で送信されるデータのうち、前記番組識別データを含むブロックより予め定められたブロック数前のブロックから前記番組識別データを含むブロックの直前のブロックまでの何れかのブロックであるか否かを判定して、当該何れかのブロックである場合に、前記同期検出手段により前記受信状態が良好な追従先放送局に関する同期の検出を開始して、検出された同期を保持し、当該同期保持された追従先放送局と前記追従前放送局との番組識別データが同一のときに当該追従先放送局から送信された放送電波を受信させることを特徴とする。
【００３１】
【作用】
かかる構成により、第１の発明によれば、夫々異なるタイミングで追従先放送局の同期を検出する複数の同期検出手段を有し、周波数データに基づいて所定レベルよりも良好な受信レベルの追従先放送局に切替えたとき、前記複数の同期検出手段の中でも最初に同期がとられた同期検出手段に当該同期を保持させるようにしたので、追従先放送局の同期に誤検出が生じたとしても迅速に最終的な正しい同期を検出することができ、従来の同期検出時間を大幅に短縮することができ、強いては当該同期検出時間中のミュートによるユーザーの不快感を軽減することができる。
【００３２】
また、第２の発明によれば、追従先放送局における同期検出のタイミングを所定順序に送信されたデータからデータ抽出手段による番組識別データの抽出直前付近のタイミングとしたので、当該同期検出と共に、番組識別データをも抽出して迅速に確認することができ、強いては当該同期検出開始から番組識別データ確認に要するまでのミュートによるユーザーへの不快感を軽減することができる。
【００３３】
また、第３の発明によれば、データ抽出手段により追従前放送局におけるデータが抽出できなくなったとき、当該抽出できなくなる直前のデータを記憶手段に記憶し、当該記憶された直前データに基づいて前記データ抽出手段による番組識別データの抽出直前付近のタイミングを推測し、当該推測されたタイミングに基づいて前記良好な受信レベルの追従先放送局における同期を検出及び保持し、当該同期保持された追従先放送局と前記追従前放送局との番組識別データが同一のときに当該追従先放送局を受信させるようにしたので、当該同期検出と共に、番組識別データをも抽出して迅速に確認することができ、強いては当該同期検出開始から番組識別データ確認に要するまでのミュートによるユーザーへの不快感を軽減することができる。
【００３４】
【実施例】
以下、図面に基づいて本発明の多重放送用受信装置を適用したＲＤＳ受信装置について説明する。図１は本発明の多重放送用受信装置を適用したＲＤＳ受信装置の概略を示すブロック図である。
【００３５】
図１におけるＲＤＳ受信装置には、ラジオチューナー機能はもちろん、ＣＤオートチェンジャー機能及びテープデッキ機能が設けられており、前記ラジオチューナー機能には、放送局から到来する、番組放送及び当該番組放送に多重化されたデータを含む放送電波を受ける受信アンテナ１１と、所望の放送電波を受信するＦＭチューナー１２と、当該ＦＭチューナー１２にて受信すべき所望の放送電波に対応した電圧信号を生成するＰＬＬ−ＩＣ回路１３と、当該ＰＬＬ−ＩＣ回路１３にて生成された電圧信号における低域成分を抽出するＬＰＦ１４と、前記ＦＭチューナー１２にて受信された放送電波からＲＤＳデータを抽出するＲＤＳデコーダ１５とを有している。
【００３６】
前記ＦＭチューナー１２には、前記ＰＬＬ−ＩＣ回路１３からの電圧信号に応じて所望周波数の放送電波を前記受信アンテナ１１より受信して、所定の中間周波数信号に変換し、当該変換された中間周波数信号を増幅するフロントエンド部１６と、当該フロントエンド部１６の出力信号をＦＭ検波するＦＭ検波回路１７と、当該ＦＭ検波回路１７の検波出力をステレオ信号に復調し、ステレオ放送の場合にはＬ（左），Ｒ（右）チャンネルのオーディオ信号に分離するマルチプレクサ１８とを有している。尚、前記ＲＤＳデコーダ１５は、当該ＦＭチューナー１２内にあるＦＭ検波回路１７の検波出力からラジオデータ信号を抽出するものである。
【００３７】
また、当該ＲＤＳ受信装置には、当該ＦＭチューナー１２、前記オートチェンジャー（以下、単にＣＤ／ＡＣと称する）１９やテープデッキのメカニカルカセットメカ部２０からのオーディオ信号を切換選択する入力切換部２１と、当該入力切換部２１にて切換選択されたオーディオ信号の音量を調整する電子ボリューム２２と、当該電子ボリューム２２にて音量調整されたオーディオ信号を増幅するパワーアンプ２３と、当該増幅されたオーディオ信号を音声出力するスピーカ２４と、様々な操作指令を入力する図示せぬ操作部のキーマトリクス２５と、様々な情報データをＬＣＤ２６に表示させるＬＣＤドライバ２７と、当該ＲＤＳ受信装置全体への電力を監視する電源コントロール部２８と、当該ＲＤＳ受信装置に係わる情報データ、例えば自動追従システムに使用されるＡＦデータやＰＩコード等を記憶する外部メモリ２９と、当該ＲＤＳ受信装置全体を制御するマイコン３０とを有している。
【００３８】
当該マイコン３０には、前記ＲＤＳデコーダ１５からのＲＤＳデータを解析し、当該解析されたＲＤＳデータに対して順次にグループ及びブロック同期をとるブロック・グループ同期機能と、当該解析されたＲＤＳデータに対するエラーを検出し、当該検出されたエラーを訂正するエラー検出・訂正機能とを有しており、当該ブロック・グループ同期＆エラー検出・訂正機能としては、当該ＲＤＳデコーダ１５からのＲＤＳデータに対して各ブロックの１０ビットの検査データに夫々割り当てられた１０ビットのオフセットデータに基づいてグループ及びブロック同期が順次とられると共に、当該検査データに基づいて１６ビットのデータに対するエラー検出を順次行うものである。
【００３９】
当該マイコン３０には、このようなブロック・グループ同期＆エラー検出・訂正機能を夫々有する第１同期検出回路（以下、単に第１回路と称する）３１ａと第２同期検出回路（以下、単に第２回路と称する）３１ｂとを有している。
【００４０】
また、当該マイコン３０は、前記操作部からの選局指令に基づいて前記ＰＬＬ−ＩＣ回路１３の電圧信号を制御することにより選局動作を実行すると共に、前記フロントエンド部１６の中間周波数信号に基づいてシグナルメータ電圧（以下、単にＳＤ信号と称する）を検出し、当該検出されたＳＤ信号に基づいて当該受信中の放送局における受信レベルを認識し、当該受信中の放送局における受信状態が悪化した場合には、自動追従システムにより前記外部メモリ２９に記憶したＡＦデータに基づいて受信レベルの良好な代替局を選局するものである。
【００４１】
では、第１実施例のＲＤＳ受信装置における動作について説明する。図２は当該第１実施例のＲＤＳ受信装置の自動追従システムにおけるマイコン３０の処理動作を示すフローチャートである。
【００４２】
図２において当該マイコン３０は、ＡＦデータによる当該自動追従システムの起動待ちランダムタイマーが終了したか否かを判定する（ステップＳ１１）。当該ランダムタイマーが終了したのであれば、前記外部メモリ２９に記憶中のＡＦデータに基づいて代替局、すなわち追従先放送局に対する電界テストを実行して受信レベルを検出し（ステップＳ１２）、当該代替局の受信レベルが受信条件に適っている否かを判定する（ステップＳ１３）。
【００４３】
当該代替局が受信条件に適っていれば、後述する図３及び図４に示す当該代替局における再同期検出処理に移行する（ステップＳ１４）。
【００４４】
次にステップＳ１４の当該再同期検出処理終了後に当該受信中の代替局におけるＰＩコードを検出したか否かを判定する（ステップＳ１５）。当該ＰＩコードを検出したのであれば、当該代替局におけるＰＩコードが先に受信していた元の受信局である追従前放送局のＰＩコードと同一であるか否かを判定する（ステップＳ１６）。当該ＰＩコードが同一であれば、当該代替局及び追従前放送局が同一番組であると判断し、当該代替局に受信を切り換える切換処理を実行し（ステップＳ１７）、当該処理動作を終了する。
【００４５】
また、ステップＳ１３にて代替局の受信レベルが受信条件に適っていなければ、元の放送局である追従前放送局に戻し、次のＡＦデータに基づく他の代替局への受信待ちを実行して（ステップＳ１８）、ステップＳ１１に移行する。
【００４６】
また、ステップＳ１５にてＰＩコードが検出されたのでなければ、当該ＰＩコード検出待ち時間が最大時間ｍａｘに達したか否かを判定する（ステップＳ１９）。当該ＰＩコード検出待ち時間が最大時間ｍａｘに達したのであれば、ステップＳ１８に移行するのであるが、当該ＰＩコード検出待ち時間が最大時間ｍａｘに達したのでなければ、ステップＳ１５に移行する。
【００４７】
また、ステップＳ１６にてＰＩコードが同一でなければ、当該代替局及び追従前放送局が異なる番組であると判断し、ステップＳ１８に移行する。
【００４８】
では、次に図２に示すステップＳ１４の再同期検出処理について説明する。図３は第１回路３１ａにおけるマイコン３０の処理動作を示すフローチャートである。図４は第２回路３１ｂにおけるマイコン３０の処理動作を示すフローチャートである。図５は第１回路３１ａ及び第２回路３１ｂの同期検出時におけるオフセットデータの検出及び判定状況を示す説明図であり、図５（ａ）は最初のオフセットデータ検出に誤検出が生じた場合、図５（ｂ）は２回目のオフセットデータ検出に誤検出が生じた場合である。
【００４９】
図２に示すステップＳ１４の再同期検出処理に移行すると、まずは図３に示す処理動作を開始する。
【００５０】
図３に示すようにマイコン３０は、第１回路３１ａによる同期検出を開始させ（ステップＳ３１）、当該第１回路３１ａによる最初のオフセットデータが検出されたか否かを判定する（ステップＳ３２）。
【００５１】
当該第１回路３１ａによる最初のオフセットデータが検出されたのであれば、当該オフセットデータをオフセットコードとして記憶し、当該オフセットデータ検出時の同期用カウンタをリセットし、第２回路３１ｂによる同期検出を開始させる開始フラグαを“１”にし（ステップＳ３３）、当該第１回路３１ａにより次のオフセットデータが検出されたか否かを判定する（ステップＳ３４）。
【００５２】
当該第１回路３１ａにより次のオフセットデータが検出されたのであれば、正しいオフセットデータであるか否か、すなわち所定順序のオフセットデータが検出されたか否かを判定する（ステップＳ３５）。
【００５３】
当該オフセットデータが正しければ、当該同期検出をＯＫとし当該第１回路３１ａによる同期を保持して、当該第１回路３１ａによる同期検出を終了させる終了フラグβを“１”にして（ステップＳ３６）、当該処理動作を終了する。
【００５４】
また、ステップＳ３２にて第１回路３１ａによる最初のオフセットデータが検出されなければ、後述する終了フラグγが“１”であるか否かを判定する（ステップＳ３７）。当該終了フラグγが“１”であれば、当該処理動作を終了し、当該終了フラグγが“１”でなければ、ステップＳ３２に移行する。
【００５５】
また、ステップＳ３４にて次のオフセットデータが検出されなかったのであれば、終了フラグγが“１”であるか否かを判定する（ステップＳ３８）。当該終了フラグγが“１”であれば、当該処理動作を終了し、当該終了フラグγが“１”でなければ、ステップＳ３８に移行する。
【００５６】
また、ステップＳ３５にて正しいオフセットデータでなければ、終了フラグγが“１”であるか否かを判定する（ステップＳ３９）。当該終了フラグγが“１”であれば、当該処理動作を終了し、当該終了フラグγが“１”でなければ、ステップＳ３１に移行する。
【００５７】
図４に示す第２回路３１ｂによる再同期検出処理は、図３に示すステップＳ３３の開始フラグαが“１”になると起動を開始する。
【００５８】
図４においてマイコン３０は、開始フラグαが“１”であるか否かを判定する（ステップＳ４１）。当該開始フラグαが“１”であれば、当該第２回路３１ｂによるオフセットデータの検出を開始し（ステップＳ４２）、当該第２回路３１ｂによりオフセットデータが検出されたか否かを判定する（ステップＳ４３）。当該オフセットデータが検出されたのであれば、当該検出されたオフセットデータをオフセットコードとして記憶し、当該オフセットデータ検出時における同期用カウンタをリセットし（ステップＳ４４）、当該第２回路３１ｂによる次のオフセットデータが検出されたか否かを判定する（ステップＳ４５）。
【００５９】
当該第２回路３１ｂによる次のオフセットデータが検出されたのであれば、当該検出されたオフセットデータが正しいか否か、つまり所定順序のオフセットデータが検出されたか否かを判定する（ステップＳ４６）。当該オフセットデータが正しいのであれば、当該同期検出をＯＫとし、当該第２回路３１ｂによる同期を保持して、当該第２回路３１ｂによる同期検出を終了させる終了フラグγを“１”にし（ステップＳ４７）、当該処理動作を終了する。
【００６０】
また、ステップＳ４３にてオフセットデータが検出されたのでなければ、第１回路３１ａの終了フラグβが“１”であるか否かを判定する（ステップＳ４８）。当該終了フラグβが“１”であれば、当該処理動作を終了するのであるが、当該終了フラグβが“１”でなければ、ステップＳ４３に移行する。
【００６１】
また、ステップＳ４５にて次のオフセットデータが検出されたのでなければ、終了フラグβが“１”であるか否かを判定する（ステップＳ４９）。当該終了フラグβが“１”であれば、当該処理動作を終了するのであるが、当該終了フラグβが“１”でなければ、ステップＳ４５に移行する。
【００６２】
また、ステップＳ４６にて正しいオフセットデータでなければ、終了フラグβが“１”であるか否かを判定する（ステップＳ５０）。当該終了フラグβが“１”であれば、当該処理動作を終了するのであるが、当該終了フラグβが“１”でなければ、ステップＳ４２に移行する。
【００６３】
つまり、当該第１実施例のＲＤＳ受信装置によれば、例えば自動追従システムによる周波数変更時において第１回路３１ａが最初のオフセットデータとして第１オフセットデータを検出し、当該第１オフセットデータ検出後に次のオフセットデータである第２オフセットデータを検出するが、前記第１回路３１ａによる第１オフセットデータ検出後に第２回路３１ｂにおいても前記第２オフセットデータにおける検出を開始させる。
【００６４】
例えば図５（ａ）に示すように第１回路３１ａは第１オフセットデータとしてオフセットＣ（ｏｒＣ´）を検出し、当該オフセットＣ（ｏｒＣ´）検出後に第２オフセットデータを当該第１回路３１ａ及び第２回路３１ｂに検出させる。
【００６５】
当該第１回路３１ａが第２オフセットデータとしてオフセットＤを検出すれば問題ないのであるが、オフセットＡを検出してしまうことにより、当該マイコン３０は前記第１オフセットデータであるオフセットＣ（ｏｒＣ´）が誤検出であったと判断する。
【００６６】
また、前記第２回路３１ｂは、当該第１回路３１ａによる第１オフセットデータ検出後に第２オフセットデータであるオフセットＡを検出し、当該オフセットＡ検出後に第３オフセットデータであるオフセットＢを検出し、当該マイコン３０は、正しく同期がとれていると判断して、当該第２回路３１ｂの同期を保持して当該データの同期検出を完了する。
【００６７】
また、図５（ｂ）に示すように前記第２回路３１ｂにおいても第２オフセットデータであるオフセットＡ検出後に第３オフセットデータとしてオフセットＢでなくオフセットＣ（ｏｒＣ´）を検出して、前記第２オフセットデータであるオフセットＡが誤検出であると当該マイコン３０が判断した場合、前記第１回路３１ａは、当該第２回路３１ｂによる第２オフセットデータであるオフセットＡ検出後に当該第３オフセットデータであるオフセットＣ（ｏｒＣ´）を検出し、当該オフセットＣ（ｏｒＣ´）検出後に第４オフセットデータであるオフセットＤを検出することにより、当該マイコン３０は、正しく同期がとれていると判断して、当該第１回路３１ａの同期を保持して当該データの同期検出を完了する。
【００６８】
従って、上記第１実施例のＲＤＳ受信装置によれば、当該マイコン３０内に２系統の同期検出回路を設けておき、周波数変更時による代替局の同期検出を実行する場合、最初のオフセットデータによる出現と共に前記第１回路３１ａの同期検出動作を開始し、次に当該第１回路３１ａの同期検出動作を継続したまま、当該第１回路３１ａによる最初のオフセットデータ検出後に次タイミングのオフセットデータから第２回路３１ｂによる同期検出動作を開始し、どちらか速く同期がとれた方の同期検出回路の同期を保持するようにしたので、当該同期に誤検出が生じたとしても迅速に最終的な正しい同期を検出することができ、従来の同期検出時間を大幅に短縮することができ、強いては当該同期検出時間中のミュートによるユーザーの不快感を軽減することができる。
【００６９】
では、第２実施例のＲＤＳ受信装置について説明する。当該第２実施例のＲＤＳ受信装置において、図１に示す第１実施例のＲＤＳ受信装置と重複するものには、同一符号を付すと共に、その構成及び動作の説明を省略する。
【００７０】
当該第２実施例におけるＲＤＳ受信装置のマイコン３０内の同期検出回路は、複数系統でなく第１回路３１ａのみとする。
【００７１】
では、当該第２実施例のＲＤＳ受信装置における動作について説明する。図６は第２実施例のＲＤＳ受信装置におけるＲＤＳデータ受信時の自動追従システムにおけるマイコン３０の処理動作を示すフローチャートである。図７は当該自動追従システムにおける各ブロックデータの検出状況を示す説明図である。
【００７２】
図６に示す自動追従処理は、ステップＳ１１及びステップＳ１２間に現在受信中のＲＤＳデータがブロックＣ又はブロックＤであるか否かを判定する判断処理（ステップＳ６１）を設け、ステップＳ１１にてランダムタイマーが終了し、かつステップＳ６１にて現在受信局である追従前放送局におけるＲＤＳデータがブロックＣ又はブロックＤを受信中のときに起動を開始するものである。
【００７３】
ステップＳ６１にて図７に示すようにブロックＣ受信中のときに同期の取り直しを開始するとブロックＤ及びブロックＡにより同期検出を実行し、ブロックＤ受信中のときに同期の取り直しを開始するとブロックＡ又はブロックＢにより同期検出を実行する。
【００７４】
従って、当該第２実施例のＲＤＳ受信装置によれば、周波数変更時の同期検出をブロックＣ又はブロックＤ受信中に実行するようにすれば、当該同期検出と共に、ＰＩコードをも抽出することができ、当該周波数変更時におけるＰＩコード確認を迅速に行うことができ、強いては当該同期検出開始からＰＩコード確認に要するまでの時間のミュートによるユーザーへの不快感を大幅に軽減することができる。
【００７５】
では、第３実施例のＲＤＳ受信装置について説明する。尚、当該第３実施例におけるＲＤＳ受信装置において、図１に示す第１実施例のＲＤＳ受信装置と重複するものには、同一符号を付すと共に、その構成及び動作の説明を省略する。
【００７６】
当該第３実施例のＲＤＳ受信装置におけるマイコン３０内の同期検出回路は、複数系統でなく第１回路３１ａのみとする。
【００７７】
当該第３実施例のＲＤＳ受信装置は、図６に示すようなステップＳ１１のランダムタイマーに関係なく、現在受信中の放送局から到来するＲＤＳデータが取り込めなくなったときに起動を開始するものである。
【００７８】
では、当該第３実施例のＲＤＳ受信装置の動作について説明する。図８は第３実施例のＲＤＳ受信装置の自動追従システムにおけるマイコン３０の処理動作を示すフローチャートである。
【００７９】
図８においてマイコン３０は、ＲＤＳデータを取り込むことができないＮＧが発生したか否かを判定する（ステップＳ７１）。当該ＲＤＳデータにおけるＮＧが発生したのであれば、当該ＮＧ直前に取り込まれたＲＤＳデータがブロックＣ又はブロックＤであるか否かを判定する（ステップＳ７２）。当該ＮＧ直前のＲＤＳデータがブロックＣ又はブロックＤであれば、前述したステップＳ１２に移行する。
【００８０】
また、ステップＳ７２にて当該ＮＧ直前のＲＤＳデータがブロックＣ又はブロックＤでなければ、当該ＮＧ直前のＲＤＳデータがブロックＡであるか否かを判定する（ステップＳ７３）。当該ＮＧ直前のＲＤＳデータがブロックＡであれば、次にブロックＣが受信されるまでの時間として８７．６×２msec待機してから（ステップＳ７４）、ステップＳ１２に移行する。また、当該ＮＧ直前のＲＤＳデータがブロックＡでなければ、次にブロックＣが受信されるまでの時間として８７．６×４msec待機してから（ステップＳ７５）、ステップＳ１２に移行する。
【００８１】
また、ステップＳ１８の処理後においては、ステップＳ７１に移行する。
【００８２】
従って、当該第３実施例のＲＤＳ受信装置によれば、現在受信中の放送局におけるＲＤＳデータが取り込めなくなったとしても、自動追従システムによる周波数変更時の同期検出をブロックＣ又はブロックＤ受信中に実行するようにすれば、当該同期検出と共に、ＰＩコードをも抽出することができ、当該同期検出開始から周波数変更時におけるＰＩコード確認を迅速に行うことができ、強いては当該同期検出開始からＰＩコード確認に要するまで時間のミュートによるユーザーへの不快感を大幅に軽減することができる。
【００８３】
尚、上記第２及び第３実施例においては、マイコン３０内の同期検出回路を第１回路３１ａのみとしたが、複数系統としても良いことはいうまでもない。
【００８４】
では、第４実施例のＲＤＳ受信装置について説明する。尚、当該第４実施例のＲＤＳ受信装置において、図１に示す第１実施例のＲＤＳ受信装置と重複するものには、同一符号を付すと共に、その構成及び動作の説明を省略する。
【００８５】
当該第４実施例のＲＤＳ受信装置の動作について説明する。図９及び図１０は第４実施例のＲＤＳ受信装置の自動追従システムにおけるマイコン３０の処理動作を示すフローチャートである。図１１は当該自動追従システムによる周波数変更時のブロックデータの抽出及びＰＩコードの検出状況を示す説明図であり、図１１（ａ）は追従前放送局と追従先放送局とのＲＤＳデータが同期している場合であり、図１１（ｂ）は追従前放送局と追従先放送局とのＲＤＳデータが同期していない場合である。
【００８６】
図９においてマイコン３０は、自動追従システム起動待ちランダムタイマーが終了したか否かを判定する（ステップＳ８１）。当該ランダムタイマーが終了したのであれば、現在受信中のＲＤＳデータがブロックＤであるか否かを判定する（ステップＳ８２）。当該受信中のＲＤＳデータがブロックＤであれば、前記外部メモリ２９に記憶中のＡＦデータに基づく代替局における電界テストを図１１（ａ）及び（ｂ）に示すように実行して受信レベルを検出し（ステップＳ８３）、当該代替局の受信条件が適っているか否かを判定する（ステップＳ８４）。
【００８７】
当該代替局の受信条件が適っていれば、前記第１回路３１ａにより追従前放送局における同期に基づいて追従先放送局である代替局における同期を保持する同期保持処理を実行し、前記第２回路３１ｂにより当該追従先放送局における再同期検出処理を開始し（ステップＳ８５）、当該追従先放送局である代替局のＰＩコードが検出されたか否かを判定する（ステップＳ８６）。
【００８８】
当該ＰＩコードが検出されたのであれば、当該検出された追従先放送局のＰＩコードが追従前放送局のＰＩコードと同一であるか否かを判定する（ステップＳ８７）。当該ＰＩコードが同一であれば、当該代替局に受信局を切り換える切換処理を行って、前記第２回路３１ｂによる同期検出処理を終了し（ステップＳ８８）、当該処理動作を終了する。
【００８９】
また、ステップＳ８４にて受信条件が適っていなければ、又はステップＳ８７にてＰＩコードが同一でなければ、受信局を元の受信局である追従前放送局に戻し、次のＡＦデータに基づく他の代替局への受信待ちを実行して（ステップＳ８９）、ステップＳ８１に移行する。
【００９０】
また、ステップＳ８６にてＰＩコードが検出されなければ、図１０に示すＭ１に移行する。
【００９１】
図１０に示すＭ１においてマイコン３０は、当該第１回路３１ａによる同期保持処理の開始、すなわち図９に示すステップＳ８５の処理から最大８７．６×２msec以上経過したか否かを判定する（ステップＳ９１）。当該第１回路３１ａによる同期保持処理の開始から最大８７．６×２msec以上経過したのであれば、第２回路３１ｂによる同期検出がＯＫとなったか否かを判定する（ステップＳ９２）。当該第２回路３１ｂによる同期検出がＯＫとなれば、当該同期検出がＯＫとされた代替局のＰＩコードが検出されたか否かを判定する（ステップＳ９３）。当該ＰＩコードが検出されたのであれば、ＰＩコードが同一であるか否かを判定する（ステップＳ９４）。当該ＰＩコードが同一であれば、第２回路３１ｂにより同期保持処理を実行し（ステップＳ９５）、当該代替局に受信局を切り換える切換処理を行って、第１回路３１ａによる再同期検出処理を終了して（ステップＳ９６）、当該処理動作を終了する。
【００９２】
ステップＳ９１にて第１回路３１ａによる同期保持処理の開始から最大８７．６×２msec以上経過したのでなければ、図９に示すＭ２に移行する。
【００９３】
また、ステップＳ９３にてＰＩコードが検出されなければ、前記第２回路３１ｂによる再同期検出処理の開始、すなわち図９に示すステップＳ８５の処理から最大８７．６×２msec＋規定時間以上経過したか否かを判定する（ステップＳ９７）。当該再同期検出処理の開始から最大８７．６×２msec＋規定時間以上経過したのであれば、図９に示すＭ３に移行する。また、当該再同期検出処理の開始から最大８７．６×２msec＋規定時間以上経過したのでなければ、ステップＳ９３に移行する。
【００９４】
また、ステップＳ９４にてＰＩコードが同一でなければ、図９に示すＭ３に移行する。
【００９５】
従って、当該第４実施例のＲＤＳ受信装置によれば、図１１（ａ）に示すように追従先放送局と追従前放送局との同期が取れている場合には第２回路３１ｂによる再同期検出を行うことなしに第１回路３１ａにて同期を検出してＲＤＳデータを取り込み、しかもブロックＤを受信中に受信周波数を移せば、その次のブロックＡのＰＩコードを迅速に確認することができ、当該同期検出開始からＰＩコード確認に要するまでのミュート時間を最小限にすることができ、強いては当該ミュート時間によるユーザーへの不快感を軽減することができる。
【００９６】
また、図１１（ｂ）に示すように追従先放送局と追従前放送局との同期が取れていない場合には、第１回路３１ａにて受信中の追従前放送局における同期外れを検出し、第２回路３１ｂにて新たな追従先放送局における同期を検出してＲＤＳデータを取り込み、しかも、図１１（ｂ）には示されていないが、ブロックＤを受信中に受信周波数を移せばその次のブロックＡのＰＩコードを迅速に確認することができ、当該同期検出開始からＰＩコード確認に要するまでのミュート時間を最小限にすることができ、強いては当該ミュート時間によるユーザーへの不快感を軽減することができる。
【００９７】
尚、上記第１及び第２実施例においては、マイコン３０内の同期検出回路を２系統としたが、それ以上の複数系統でも良く、この場合にはより一層の効果を上げられることは言うまでもない。
【００９８】
【発明の効果】
上記のように構成された本発明の多重放送用受信装置における第１の発明によれば、夫々異なるタイミングで追従先放送局の同期を検出する複数の同期検出手段を有し、周波数データに基づいて追従先放送局よりも良好な追従先放送局に切替えたとき、前記複数の同期検出手段の中でも最初に同期がとられた同期検出手段に当該同期を保持させるようにしたので、追従先放送局の同期に誤検出が生じたとしても迅速に最終的な正しい同期を検出することができ、従来の同期検出時間を大幅に短縮することができ、延いては当該同期検出時間中のミュートによるユーザの不快感を軽減することができる。
【００９９】
また、第２の発明によれば、追従先放送局における同期検出のタイミングを所定順序に送信されたデータからデータ抽出手段による番組識別データの抽出直前付近のタイミングとしたので、当該同期検出と共に、番組識別データをも抽出して迅速に確認することができ、延いては当該同期検出開始から番組識別データ確認に要するまでのミュートによるユーザーへの不快感を軽減することができる。
【０１００】
また、第３の発明によれば、データ抽出手段により追従前放送局におけるデータが抽出できなくなったとき、当該抽出できなくなる直前のデータを記憶手段に記憶し、当該記憶された直前データに基づいて前記データ抽出手段による番組識別データの抽出直前付近のタイミングを推測し、当該推測されたタイミングに基づいて前記良好な受信レベルの追従先放送局における同期を検出及び保持し、当該同期保持された追従先放送局と前記追従前放送局との番組識別データが同一のときに当該追従先放送局を受信させるようにしたので、当該同期検出と共に、番組識別データをも抽出して迅速に確認することができ、延いては当該同期検出開始から番組識別データ確認に要するまでのミュートによるユーザーへの不快感を軽減することができる。
【図面の簡単な説明】
【図１】本発明の多重放送用受信装置を適用したＲＤＳ受信装置の概略を示すブロック図である。
【図２】第１実施例のＲＤＳ受信装置の自動追従システムにおけるマイコンの処理動作を示すフローチャートである。
【図３】第１実施例のＲＤＳ受信装置の第１回路による再同期検出処理におけるマイコンの処理動作を示すフローチャートである。
【図４】第１実施例のＲＤＳ受信装置の第２回路による再同期検出処理におけるマイコンの処理動作を示すフローチャートである。
【図５】第１実施例のＲＤＳ受信装置における第１及び第２回路の同期検出時におけるオフセットデータの検出及び判定状況を示す説明図である。
（ａ）最初のオフセットデータに誤検出が生じた場合
（ｂ）二回目のオフセットデータに誤検出が生じた場合
【図６】第２実施例のＲＤＳ受信装置の自動追従システムにおけるマイコンの処理動作を示すフローチャートである。
【図７】第２実施例のＲＤＳ受信装置における図６に示す処理時の同期検出時におけるオフセットデータの検出及び判定状況を示す説明図である。
【図８】第３実施例のＲＤＳ受信装置の自動追従システムにおけるマイコンの処理動作を示すフローチャートである。
【図９】第４実施例のＲＤＳ受信装置の自動追従システムにおけるマイコンの処理動作を示すフローチャートである。
【図１０】第４実施例のＲＤＳ受信装置の自動追従システムにおけるマイコンの処理動作を示すフローチャートである。
【図１１】第４実施例のＲＤＳ受信装置の自動追従システムによる周波数変更時のブロックデータの検出及び検出状況を示す説明図である。
（ａ）追従前放送局と追従先放送局とのＲＤＳデータが同期している場合
（ｂ）追従前放送局と追従先放送局都のＲＤＳデータが同期していない場合
【図１２】一般的なＲＤＳデータのベースバンドコーディング構造を示す説明図である。
【図１３】従来のＲＤＳ受信装置における同期検出回路の同期検出時におけるオフセットデータの検出及び判定状況を示す説明図である。
（ａ）最初のオフセットデータに誤検出が生じた場合
（ｂ）二回目のオフセットデータに誤検出が生じた場合
【符号の説明】
１２  ＦＭチューナー
１５  ＲＤＳデコーダ（データ抽出手段）
２９  外部メモリ（記憶手段）
３０  マイコン（制御手段）
３１ａ  第１同期検出回路（第１回路）
３１ｂ  第２同期検出回路（第２回路）
【図１】
0004215283.tif 000002
【図２】
0004215283.tif 000003
【図３】
0004215283.tif 000004
【図４】
0004215283.tif 000005
【図５】
0004215283.tif 000006
【図６】
0004215283.tif 000007
【図７】
0004215283.tif 000008
【図８】
0004215283.tif 000009
【図９】
0004215283.tif 000010
【図１０】
0004215283.tif 000011
【図１１】
0004215283.tif 000012
【図１２】
0004215283.tif 000013
【図１３】
0004215283.tif 000014